(57)【特許請求の範囲】
【請求項１】
ワイヤレス受信ダイバーシティ回路であって、
第１の受信経路と、
第２の受信経路と、
第３の受信経路と、
第１の周波数を有する第１の局部発振信号を生成するように構成された第１の周波数合成回路と、ここにおいて、前記第１の局部発振信号は、前記第１の受信経路において第１の混合回路と、前記第２の受信経路において第２の混合回路と接続される、
前記第１の周波数に等しい第２の周波数を有する第２の局部発振信号を生成するように構成された第２の周波数合成回路と、ここにおいて、前記第２の局部発振信号は、前記第３の受信経路において第３の混合回路と接続され、前記第１の周波数合成回路及び前記第２の周波数合成回路の各々は、異なる位相ロックドループ（ＰＬＬ）を備える、
を備えるダイバーシティ回路。
【請求項２】
第４の受信経路を更に備え、前記第２の局部発振信号は、前記第４の受信経路において第４の混合回路と接続される、請求項１に記載のダイバーシティ回路。
【請求項３】
第５の受信経路と、
第６の受信経路と、
第３の周波数を有する第３の局部発振信号を生成するように構成された第３の周波数合成回路と、ここにおいて、前記第３の局部発振信号は、前記第５の受信経路において第５の混合回路と、前記第６の受信経路において第６の混合回路と接続される、
を更に備える、請求項２に記載のダイバーシティ回路。
【請求項４】
第７の受信経路と、
第８の受信経路と、
前記第３の周波数に等しい第４の周波数を有する第４の局部発振信号を生成するように構成された第４の周波数合成回路と、ここにおいて、前記第４の局部発振信号は、前記第７の受信経路において第７の混合回路と、前記第８の受信経路において第８の混合回路と接続される、
を更に備え、請求項３に記載のダイバーシティ回路。
【請求項５】
前記第３の周波数は、前記第１の周波数とは異なる、請求項４に記載のダイバーシティ回路。
【請求項６】
前記第１の受信経路、前記第２の受信経路、前記第３の受信経路、及び前記第４の受信経路は、第１のキャリアに対して指定され、前記第５の受信経路、前記第６の受信経路、前記第７の受信経路、及び前記第８の受信経路は、前記第１のキャリアとは異なる第２のキャリアに対して指定される、請求項４に記載のダイバーシティ回路。
【請求項７】
前記第１の受信経路、前記第２の受信経路、前記第３の受信経路、前記第４の受信経路、前記第５の受信経路、前記第６の受信経路、前記第７の受信経路、及び前記第８の受信経路は、単一のキャリアに対して設計され、前記第１の局部発振信号、前記第２の局部発振信号、前記第３の局部発振信号、及び前記第４の局部発振信号は、同一の周波数を有する、請求項４に記載のダイバーシティ回路。
【請求項８】
前記ワイヤレス受信ダイバーシティ回路は、キャリアアグリゲーション（ＣＡ）トランシーバの一部であり、前記第１の周波数合成回路及び前記第２の周波数合成回路の各々は、ＣＡ周波数合成回路である、請求項２に記載のダイバーシティ回路。
【請求項９】
前記ＣＡトランシーバの一部はディセーブルにされる、請求項８に記載のダイバーシティ回路。
【請求項１０】
前記第１の周波数合成回路及び前記第２の周波数合成回路の各々は、電圧制御型発振器（ＶＣＯ）と、増幅器、バッファ、減衰器、又はプログラマブル分周器のうちの少なくとも１つとを備える、請求項２に記載のダイバーシティ回路。
【請求項１１】
前記第１の周波数合成回路は、前記第１の局部発振信号を生成するように構成された第１の電圧制御型発振器（ＶＣＯ）を備え、前記第２の周波数合成回路は、前記第２の局部発振信号を生成するように構成された第２のＶＣＯを備え、前記第１のＶＣＯ及び前記第２のＶＣＯは、２つの異なる周波数を有する信号を同時に出力する、請求項２に記載のダイバーシティ回路。
【請求項１２】
前記第１の受信経路、前記第２の受信経路、及び前記第３の受信経路の各々は、それ自体のアンテナに関連付けられる、請求項２に記載のダイバーシティ回路。
【請求項１３】
ワイヤレス通信のための方法であって、
第１の受信経路を介して第１の信号を受信及び処理することと、
第２の受信経路を介して第２の信号を受信及び処理することと、
第３の受信経路を介して第３の信号を受信及び処理することと、
第１の周波数合成回路を介して、第１の周波数を有する第１の局部発振信号を生成することと、
前記第１の受信経路において第１の混合回路を介して、前記第１の局部発振信号を、処理された前記第１の信号と混合することと、
前記第２の受信経路において第２の混合回路を介して、前記第１の局部発振信号を、処理された前記第２の信号と混合することと、
第２の周波数合成回路を介して、前記第１の周波数に等しい第２の周波数を有する第２の局部発振信号を生成することと、ここにおいて、前記第１の周波数合成回路及び前記第２の周波数合成回路の各々は、異なる位相ロックドループ（ＰＬＬ）を備える、
前記第３の受信経路において第３の混合回路を介して、前記第２の局部発振信号を、処理された前記第３の信号と混合することと
を備える方法。
【請求項１４】
第４の受信経路を介して第４の信号を受信及び処理することと、
前記第４の受信経路において第４の混合回路を介して、前記第２の局部発振信号を、処理された前記第４の信号と混合することと
を更に備える、請求項１３に記載の方法。
【請求項１５】
第５の受信経路を介して第５の信号を受信及び処理することと、
第６の受信経路を介して第６の信号を受信及び処理することと、
第３の周波数を有する第３の局部発振信号を生成することと、
前記第５の受信経路において第５の混合回路を介して、前記第３の局部発振信号を、処理された前記第５の信号と混合することと、
前記第６の受信経路において第６の混合回路を介して、前記第３の局部発振信号を、処理された前記第６の信号と混合することと、
第７の受信経路を介して第７の信号を受信及び処理することと、
第８の受信経路を介して第８の信号を受信及び処理することと、
第４の周波数を有する第４の局部発振信号を生成することと、
前記第７の受信経路において第７の混合回路を介して、前記第４の局部発振信号を、処理された前記第７の信号と混合することと、
前記第８の受信経路において第８の混合回路を介して、前記第４の局部発振信号を、処理された前記第８の信号と混合することと
を更に備える、請求項１４に記載の方法。
【発明の詳細な説明】
【関連出願への相互参照】
【０００１】
[0001]本願は、２０１４年５月１５日に出願された米国特許仮出願第６１／９９３，３２５号及び２０１５年４月２日に出願された米国特許出願第１４／６７７，０５６号の利益を主張し、それらは両方とも、それらのお全体が参照によって本明細書に組み込まれる。
【技術分野】
【０００２】
[0002]本開示の特定の態様は一般に、ワイヤレス通信のための無線周波数（ＲＦ）回路に関し、より具体的には、複数の周波数合成回路を有する多方向ダイバーシティ受信機に関する。
【背景技術】
【０００３】
[0003]ワイヤレス通信ネットワークは、電話通信、ビデオ、データ、メッセージング、ブロードキャスト、等の、様々な通信サービスを提供するために広く展開されている。このようなネットワークは、通常は多元接続ネットワークであり、利用可能なネットワークリソースを共有することで複数のユーザのための通信をサポートする。例えば、１つのネットワークは、３Ｇ（モバイル電話規格及び技術の第３世代）システムであり得、これは、ＥＶＤＯ（進化データ最適化）、１ｘＲＴＴ（１回無線送信技術、又は単純に１ｘ）、Ｗ−ＣＤＭＡ（登録商標）（広帯域符号分割多元接続）、ＵＭＴＳ−ＴＤＤ（ユニバーサルモバイルテレコミュニケーションシステム−時分割複信）、ＨＳＰＡ（高速パケットアクセス）、ＧＰＲＳ（汎用パケット無線サービス）、又はＥＤＧＥ（グローバルエボリューションのための強化データレート）を含む様々な３Ｇ無線アクセス技術（ＲＡＴ）のうちの何れか１つを介してネットワークサービスを提供し得る。３Ｇネットワークは、音声呼に加え、高速インターネットアクセス及びビデオ電話を組み込むように進化した広域セルラ電話ネットワークである。更に、３Ｇネットワークは、より確立されており、他のネットワークシステムよりも広いカバレッジエリアを提供し得る。このような多元接続ネットワークはまた、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＭＤＡ）ネットワーク、第３世代パートナーシッププロジェクト（３ＧＰＰ（登録商標））ロングタームエボリューション（ＬＴＥ（登録商標））ネットワーク、及びロングタームエボリューションアドバンスド（ＬＴＥ−Ａ）ネットワークを含み得る。
【０００４】
[0004]ワイヤレス通信ネットワークは、多数のモバイル局のための通信をサポートすることができる多数の基地局を含み得る。モバイル局（ＭＳ）は、ダウンリンク及びアップリンクを介して基地局（ＢＳ）と通信し得る。ダウンリンク（即ち、順方向リンク）は、基地局からモバイル局への通信リンクを指し、アップリンク（即ち、逆方向リンク）は、モバイル局から基地局への通信リンクを指す。基地局は、ダウンリンクでモバイル局にデータ及び制御情報を送信し得、及び／又は、アップリンクでモバイル局からデータ及び制御情報を受信し得る。
【発明の概要】
【０００５】
[0005]本開示の特定の態様は一般に、複数のシンセサイザを有する多方向ダイバーシティ受信機に関する。このような多方向ダイバーシティ受信機は、キャリアアグリゲーション（ＣＡ）トランシーバにおいて実装され得る。
【０００６】
[0006]本開示の特定の態様は、ワイヤレス受信ダイバーシティ回路を提供する。ダイバーシティ回路は一般に、受信された信号を処理するための３つ以上の受信経路と、受信された信号をダウンコンバートするために局部発振信号を生成するように構成された２つ以上の周波数合成回路とを含み、周波数合成回路の各々は、受信経路のうちの多くても２つによって共有され、周波数合成回路の各対は、同一の周波数を有する一対の局部発振信号を生成する。
【０００７】
[0007]特定の態様によれば、単一の受信経路は、任意の他の受信経路と接続されていない、周波数合成回路のうちの１つと接続される。
【０００８】
[0008]特定の態様によれば、受信経路の各々は、それ自体のアンテナに関連付けられる。
【０００９】
[0009]特定の態様によれば、周波数合成回路の各対は、同一の周波数を有する一対の局部発振信号を生成する。特定の態様について、同一の周波数を有する一対の局部発振信号は、２つの異なる周波数を出力する２つの電圧制御型発振器（ＶＣＯ）によって生成される。２つのＶＣＯは、一対の局部発振信号が同一の周波数を有するように、２つの異なる周波数除数（different frequency divisors）で動作する２つの分周器に結合され得る。特定の態様について、異なる複数の対の周波数合成回路は、異なる周波数を有する複数の対の局部発振信号を生成する。
【００１０】
[0010]特定の態様によれば、３つ以上の受信経路は、６つの受信経路を含み、２つ以上の周波数合成回路は、３つの周波数合成回路を含む。特定の態様について、６つの受信経路のうちの第１の数は、第１のキャリアに対して指定され、６つの受信経路のうちの第２の数は、第１のキャリアとは異なる第２のキャリアに対して指定される。特定の態様について、６つの受信経路は、単一のキャリアに対して指定される。このケースでは、３つの周波数合成回路は、同一の周波数を有する３つの局部発振信号を生成し得る。
【００１１】
[0011]特定の態様によれば、３つ以上の受信経路は、８つの受信経路を含み、２つ以上の周波数合成回路は、４つの周波数合成回路を含む。特定の態様について、４つの周波数合成回路のうちの第１の対は、同一の第１の周波数を有する第１の２つの局部発振信号を生成し、４つの周波数合成回路のうちの第２の対は、同一の第２の周波数を有する第２の２つの局部発振信号を生成する。特定の態様について、８つの受信経路のうちの第１の数が、第１のキャリアに対して指定され、８つの受信経路のうちの第２の数が、第１のキャリアとは異なる第２のキャリアに対して指定される。他の態様について、８つの受信経路は、単一のキャリアに対して指定される。このケースでは、４つの周波数合成回路は、同一の周波数を有する４つの局部発振信号を生成し得る。特定の態様について、８つの受信経路のうちの４つ及び／又は４つの周波数合成回路のうちの２つがディセーブルにされる。
【００１２】
[0012]特定の態様によれば、ワイヤレス受信ダイバーシティ回路は、キャリアアグリゲーション（ＣＡ）トランシーバの一部であり、周波数合成回路の各々は、特定のコンポーネントキャリアのためのＣＡ周波数合成回路である。特定の態様について、ＣＡトランシーバの一部は、ディセーブル（不能）にされる。
【００１３】
[0013]特定の態様によれば、各周波数合成回路は、電圧制御型発振器（ＶＣＯ）及び位相ロックドループ（ＰＬＬ）を含む。特定の態様について、各周波数合成回路は、増幅器、バッファ、減衰器、又はプログラマブル分周器（programmable divider）のうちの少なくとも１つを更に含む。
【００１４】
[0014]特定の態様によれば、各受信経路は、受信された信号のうちの１つを増幅するように構成された低ノイズ増幅器（ＬＮＡ）と、増幅された信号を局部発振信号のうちの１つと混合するように構成された混合回路とを含む。
【００１５】
[0015]本開示の特定の態様は、ワイヤレス受信ダイバーシティ回路を提供する。ダイバーシティ回路は一般に、第１の受信経路と、第２の受信経路と、第３の受信経路と、第１の周波数を有する第１の局部発振信号を生成するように構成された第１の周波数合成回路と、ここにおいて、第１の局部発振信号は、第１の受信経路において第１の混合回路と、第２の受信経路において第２の混合回路と接続される、第１の周波数に等しい第２の周波数を有する第２の局部発振信号を生成するように構成された第２の周波数合成回路と、ここにおいて、第２の局部発振信号は、第３の受信経路において第３の混合回路と接続される、を含む。
【００１６】
[0016]特定の態様によれば、ダイバーシティ回路は、第４の受信経路を更に含み、第２の局部発振信号は、第４の受信経路において第４の混合回路と接続される。特定の態様について、第１、第２、第３、及び第４の受信経路の各々は、それ自体のアンテナに関連付けられる。特定の態様について、ダイバーシティ回路は更に、第５の受信経路と、第６の受信経路と、第３の周波数を有する第３の局部発振信号を生成するように構成された第３周波数合成回路とを含み、第３の局部発振信号は、第５の受信経路において第５の混合回路と、第６の受信経路において第６の混合回路と接続される。特定の態様について、第３の周波数は、第１の周波数とは異なり得、他の態様では、第３の周波数は、第１及び第２の周波数と同一のであり得る。特定の態様について、第１、第２、第３、第４、第５、及び第６の受信経路は、単一のキャリアに対して指定される。このケースでは、第１、第２、及び第３の局部発振信号は、同一の周波数を有し得る。
【００１７】
[0017]特定の態様によれば、ダイバーシティ回路は、第７の受信経路と、第８の受信経路と、第３の周波数に等しい第４の周波数を有する第４の局部発振信号を生成するように構成された第４周波数合成回路とを更に含み、第４の局部発振信号は、第７の受信経路において第７の混合回路と、第８の受信経路において第８の混合回路と接続される。このケースでは、第３の周波数は、第１の周波数とは異なり得る。特定の態様について、第１、第２、第３、及び第４の受信経路が、第１のキャリアに対して指定され、第５、第６、第７、及び第８の受信経路が、第１のキャリアとは異なる第２のキャリアに対して指定される。他の態様について、第１、第２、第３、第４、第５、第６、第７、及び第８の受信経路は、単一のキャリアに対して指定される。このケースでは、第１、第２、第３、及び第４の局部発振信号は、同一の周波数を有し得る。
【００１８】
[0018]特定の態様によれば、ダイバーシティ回路は、第４の受信経路と、第５の受信経路と、第６の受信経路と、第３の周波数を有する第３の局部発振信号を生成するように構成された第３の周波数合成回路と、第４の周波数を有する第４の局部発振信号を生成するように構成された第４の周波数合成回路とを更に含み、第３の局部発振信号は、第４の受信経路において第４の混合回路と、第５の受信経路において第５の混合回路と接続され、第４の局部発振信号は、第６の受信経路において第６の混合回路と接続される。特定の態様について、第３の周波数は、第１の周波数とは異なり得、他の態様では、第３の周波数は、第１及び第２の周波数と同一であり得る。特定の態様について、第１、第２、及び第３の受信経路は、第１のキャリアに対して指定され、第４、第５、及び第６の受信経路は、第１のキャリアとは異なる第２のキャリアに対して指定される。他の態様について、第１、第２、第３、第４、第５、及び第６の受信経路は、単一のキャリアに対して指定される。このケースでは、第１、第２、第３、及び第４の局部発振信号は、同一の周波数を有し得る。
【００１９】
[0019]特定の態様によれば、ワイヤレス受信ダイバーシティ回路は、ＣＡトランシーバの一部であり、第１及び第２の周波数合成回路の各々は、特定のコンポーネントキャリアのためのＣＡ周波数合成回路である。特定の態様について、ＣＡトランシーバの一部は、ディセーブルにされる。
【００２０】
[0020]特定の態様によれば、第１及び第２の周波数合成回路の各々は、ＶＣＯ及びＰＬＬを含む。特定の態様について、第１及び第２の周波数合成回路の各々は、増幅器、バッファ、減衰器、又はプログラマブル分周器のうちの少なくとも１つを更に含む。
【００２１】
[0021]特定の態様によれば、第１の周波数合成回路は、第１の局部発振信号を生成するように構成された第１のＶＣＯを含み、第２の周波数合成回路は、第２の局部発振信号を生成するように構成された第２のＶＣＯを備える。このケースでは、第１及び第２のＶＣＯは、２つの異なる周波数を有する同時に出力された信号であり得る。第１及び第２のＶＣＯは、第１及び第２の局部発振信号が同一の周波数を有するように、２つの異なる除数で動作する２つの分周器に結合され得る。
【００２２】
[0022]特定の態様によれば、第１、第２、及び第３の受信経路の各々は、それ自体のアンテナに関連付けられる。
【００２３】
[0023]本開示の特定の態様は、ワイヤレス通信のための方法を提供する。方法は一般に、３つ以上の受信経路を介して信号を受信及び処理することと、受信された信号をダウンコンバートするために局部発振信号を、２つ以上の周波数合成回路から、生成することとを含み、周波数合成回路の各々は、受信経路のうちの多くても２つによって共有され、周波数合成回路の各対は、同一の周波数を有する一対の局部発振信号を生成する。
【００２４】
[0024]本開示の特定の態様は、ワイヤレス通信のための方法を提供する。方法は一般に、第１の受信経路を介して第１の信号を受信及び処理することと、第２の受信経路を介して第２の信号を受信及び処理することと、第３の受信経路を介して第３の信号を受信及び処理することと、第１の周波数を有する第１の局部発振信号を生成することと、第１の受信経路において第１の混合回路を介して第１の局部発振信号を処理された第１の信号と混合することと、第２の受信経路において第２の混合回路を介して第１の局部発振信号を処理された第２の信号と混合することと、第１の周波数に等しい第２の周波数を有する第２の局部発振信号を生成することと、第３の受信経路において第３の混合回路を介して第２の局部発振信号を処理された第３の信号と混合することとを含む。
【００２５】
[0025]本開示の上述された特徴が詳細に理解されることができるように、上で簡潔に要約された内容についてのより具体的な説明が、複数の態様を参照することによってなされ得、そのうちの幾つかは、添付の図面に例示されている。しかしながら、添付の図面が本開示の特定の典型的な態様のみを例示しており、従って、その説明が他の同等に効果的な態様を認め得るので、その範囲を限定するとみなされるべきではないことに留意されたい。
【図面の簡単な説明】
【００２６】
【図１】[0026]図１は、本開示の特定の態様に係る、例となるワイヤレス通信ネットワークの図である。
【図２】[0027]図２は、本開示の特定の態様に係る、例となるアクセスポイント（ＡＰ）及び例となるユーザ端末のブロック図である。
【図３】[0028]図３は、本開示の特定の態様に係る、例となるトランシーバフロントエンドのブロック図である。
【図４】[0029]図４は、本開示の特定の態様に係る、４つの受信経路が単一の周波数合成回路によって駆動される４方向ダイバーシティ受信機（４ ＲｘＤ）の例となるブロック図である。
【図５】[0030]図５は、本開示の特定の態様に係る、４つの受信経路が、同一の局部発振器（ＬＯ）周波数を生成する２つの周波数合成回路によって駆動される、キャリアアグリゲーション（ＣＡ）トランシーバにおける４方向ダイバーシティ受信機の例となるブロック図である。
【図６】[0031]図６は、本開示の特定の態様に係る、３つの受信経路が、同一のＬＯ周波数を生成する２つの周波数合成回路によって駆動される、図５のＣＡトランシーバにおける３方向ダイバーシティ受信機の例となるブロック図である。
【図７Ａ】[0032]図７Ａは、本開示の特定の態様に係る、８つの受信経路が、２つの異なるＬＯ周波数を生成する４つの周波数合成回路によって駆動される、図５のＣＡトランシーバにおける２キャリア４方向ダイバーシティ受信機の例となるブロック図である。
【図７Ｂ】[0033]図７Ｂは、本開示の特定の態様に係る、６つの受信経路が、２つの異なるＬＯ周波数を生成する４つの周波数合成回路によって駆動される、図５のＣＡトランシーバにおける２キャリア３方向ダイバーシティ受信機の例となるブロック図である。
【図８】[0034]図８は、本開示の特定の態様に係る、多方向ダイバーシティについての例となる動作のフロー図である。
【図９】図９は、本開示の特定の態様に係る、多方向ダイバーシティについての例となる動作のフロー図である。
【発明の詳細な説明】
【００２７】
[0035]本開示の様々な態様が以下に説明される。本明細書での教示が幅広い形式で具現化され得ること、及び、本明細書で開示されている任意の特定の構造、機能、又は両方が、代表的なものにすぎないことが明らかであるべきである。本明細書での教示に基づいて、当業者は、本明細書で開示される態様が、任意の他の態様から独立して実装され得ること、及び、これらの態様のうちの２つ以上が様々な方法で組み合わせられ得ることを認識すべきである。例えば、本明細書に示される任意の数の態様を使用して、装置が実装され得、方法が実施され得る。加えて、本明細書に示される態様のうちの１つ又は複数に加えて又はそれ以外の、他の構造、機能性、又は構造と機能性を使用して、そのような装置が実装され得るか、又は、そのような方法が実装され得る。更に、態様は、請求項の少なくとも１つの要素を備え得る。
【００２８】
[0036]「例示的」という用語は、本明細書では、「一例、事例、又は例示として機能する」という意味で使用される。「例示的」として本明細書で説明される任意の態様は、必ずしも、他の態様よりも好ましい又は有利であると解釈されるべきではない。
【００２９】
[0037]本明細書で説明される技法は、符号分割多元接続（ＣＤＭＡ）、直交周波数分割多重（ＯＦＤＭ），時分割分割接続（ＴＤＭＡ）、空間分割多元接続（ＳＤＭＡ）、単一キャリア周波数分割多元接続（ＳＣ−ＦＤＭＡ）、時分割同期符号分割多元接続（ＴＤ−ＳＣＤＭＡ）、等の様々なワイヤレス技術と組み合わせて使用され得る。複数のユーザ端末は、異なる（１）ＣＭＤＡの場合直交符号チャネルを、（２）ＴＤＭＡの場合タイムスロットを、又は、（３）ＯＦＤＭの場合サブ帯域を介してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）、又は幾つかの他の規格で実装し得る。ＯＦＤＭシステムは、電気電子技術者協会（ＩＥＥＥ）８０２．１１、ＩＥＥＥ８０２．１６、ロングタームエボリューション（ＬＴＥ）（例えば、ＴＤＤ及び／又はＦＤＤモードにおいて）、ＬＴＥアドバンスト（ＬＴＥ−Ａ）、又は幾つかの他の規格を実装し得る。ＴＤＭＡシステムは、モバイル通信のためのグローバルシステム（ＧＳＭ（登録商標））、又は幾つかの他の規格を実装し得る。これらの様々な規格は、当技術分野において知られている。
【００３０】
例となるワイヤレスシステム
[0038]図１は、アクセスポイント１１０及びユーザ端末１２０を有するワイヤレス通信システム１００を例示する。簡潔にするために、図１には１つのアクセスポイント１１０のみが示されている。アクセスポイント（ＡＰ）は一般に、ユーザ端末と通信する固定局であり、基地局（ＢＳ）、発展型ノードＢ（ｅＮＢ）、又は何らかの他の専門用語でも呼ばれ得る。ユーザ端末（ＵＴ）は、固定又はモバイルであり得、モバイル局（ＭＳ）、アクセス端末、ユーザ機器（ＵＥ）、局（ＳＴＡ）、クライアント、ワイヤレスデバイス、又は何らかの他の専門用語でも呼ばれ得る。ユーザ端末は、セルラ電話、携帯情報端末（ＰＤＡ）、ハンドヘルドデバイス、ワイヤレスモデム、ラップトップコンピュータ、タブレット、パーソナルコンピュータ、等のワイヤレスデバイスであり得る。
【００３１】
[0039]アクセスポイント１１０は、ダウンリンク及びアップリンクで、いつ何時でも１つ又は複数のユーザ端末１２０と通信し得る。ダウンリンク（即ち、順方向リンク）は、アクセスポイントからユーザ端末への通信リンクであり、アップリンク（即ち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、そのアクセスポイントに調整及び制御を提供する。
【００３２】
[0040]システム１００は、ダウンリンク及びアップリンクでのデータ送信のために、複数の送信アンテナ及び複数の受信アンテナを用いる。アクセスポイント１１０には、ダウンリンク送信のための送信ダイバーシティ及び／又はアップリンク送信のための受信ダイバーシティを達成するために数Ｎａｐ個のアンテナが備わっている。選択されたユーザ端末１２０のセットＮｕは、ダウンリンク送信を受信し、アップリンク送信を送信し得る。選択された各ユーザ端末は、アクセスポイントにユーザ固有のデータを送信し、及び／又はアクセスポイントからユーザ固有のデータを受信する。一般に、選択された各ユーザ端末には、１つ又は複数（即ち、Ｎｕｔ≧１）のアンテナが備わっている。選択されたＮｕ個のユーザ端末は、同一の数又は異なる数のアンテナを有することができる。
【００３３】
[0041]ワイヤレスシステム１００は、時分割複信（ＴＤＤ）システム又は周波数分割複信（ＦＤＤ）システムであり得る。ＴＤＤシステムでは、ダウンリンク及びアップリンクは、同一の周波数帯域を共有する。ＦＤＤシステムでは、ダウンリンク及びアップリンクは、異なる周波数帯域を使用する。システム１００はまた、送信のために、単一のキャリア又は複数のキャリアを利用し得る。各ユーザ端末には、（例えば、コストを低く抑えるために）単一のアンテナが、又は（例えば、追加のコストがサポートされることができる場合には）複数のアンテナが備わっている。
【００３４】
[0042]図２は、ワイヤレスシステム１００における、アクセスポイント１１０及び２つのユーザ端末１２０ｍと１２０ｘのブロック図を示す。アクセスポイント１１０には、Ｎａｐ個のアンテナ２２４ａ〜２２４ａｐが備わっている。ユーザ端末１２０ｍには、Ｎｕｔ，ｍ個のアンテナ２５２ｍａ〜２５２ｍｕが備わっており、ユーザ端末１２０ｘには、Ｎｕｔ，ｘ個のアンテナ２５２ｘａ〜２５２ｘｕが備わっている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」とは、周波数チャネルを介してデータを送信することができる独立して動作される装置又はデバイスであり、「受信エンティティ」とは、周波数チャネルを介してデータを受信することができる独立して動作される装置又はデバイスである。以下の説明では、下付きの文字「ｄｎ」はダウンリンクを表し、下付きの文字「ｕｐ」はアップリンクを表し、Ｎｕｐ個のユーザ端末が、アップリンクでの同時送信のために選択され、Ｎｄｎ個のユーザ端末が、ダウンリンクでの同時送信のために選択されるが、Ｎｕｐは、Ｎｄｎと等しい場合も等しくない場合もあり、Ｎｕｐ及びＮｄｎは、静的な値であり得るか、又はスケジューリング間隔ごとに変化することができる。ビームステアリング又は何らかの他の空間処理技法が、アクセスポイント及びユーザ端末において使用され得る。
【００３５】
[0043]アップリンクでは、アップリンク送信のために選択された各ユーザ端末１２０において、ＴＸデータプロセッサ２８８が、データソース２８６からトラフィックデータを、コントローラ２８０から制御データを受ける。ＴＸデータプロセッサ２８８は、ユーザ端末についてのトラフィックデータ｛ｄｕｐ｝を、そのユーザ端末のために選択されたレートに関連付けられたコード化（coding）及び変調スキームに基づいて処理（例えば、符号化、インターリーブ、及び変調）し、Ｎｕｔ，ｍ個のアンテナのうちの１つにデータシンボルストリーム｛ｓｕｐ｝を提供する。トランシーバフロントエンド（ＴＸ／ＲＸ）２５４（無線周波数フロントエンド（ＲＦＦＥ）としても知られている）は、それぞれのシンボルストリームを受け、処理（例えば、アナログ変換、増幅、フィルタ掛け、及び周波数アップコンバート）して、アップリンク信号を生成する。トランシーバフロントエンド２５４はまた、例えば、ＲＦスイッチを介して、送信ダイバーシティのためにＮｕｔ，ｍ個のアンテナのうちの１つにアップリンク信号をルーティングし得る。コントローラ２８０は、トランシーバフロントエンド２５４内でこのルーティングを制御し得る。メモリ２８２は、ユーザ端末１２０のためのデータ及びプログラムコードを記憶し得、コントローラ２８０とインターフェースし得る。
【００３６】
[0044]数Ｎｕｐ個のユーザ端末が、アップリンクでの同時送信のためにスケジューリングされ得る。これらユーザ端末の各々は、その処理されたシンボルストリームのセットをアップリンクでアクセスポイントに送信する。
【００３７】
[0045]アクセスポイント１１０では、Ｎａｐ個のアンテナ２２４ａ〜２２４ａｐが、アップリンクで送信するＮｕｐ個のユーザ端末全てからアップリンク信号を受信する。受信ダイバーシティの場合、トランシーバフロントエンド２２２は、処理のために、アンテナ２２４のうちの１つから受信される信号を選択し得る。本開示の特定の態様について、複数のアンテナ２２４から受信される信号の組み合わせは、強化受信ダイバーシティのために組み合わせられ得る。アクセスポイントのトランシーバフロントエンド２２２はまた、ユーザ端末のトランシーバフロントエンド２５４によって実行される処理に相補的な処理を実行し、復元されたアップリンクデータシンボルストリームを提供する。復元されたアップリンクデータシンボルストリームは、ユーザ端末によって送信されるデータシンボルストリーム｛ｓｕｐ｝の推定値である。ＲＸデータプロセッサ２４２は、復元されたアップリンクデータシンボルストリームを、そのストリームに使用されたレートに従って処理（例えば、復調、デインターリーブ、及び復号）して、復号されたデータを取得する。各ユーザ端末についての復号されたデータが、記憶のためにデータシンク２４４に、及び／又は、更なる処理のためにコントローラ２３０に、提供され得る。
【００３８】
[0046]ダウンリンクでは、アクセスポイント１１０において、ＴＸデータプロセッサ２１０が、データソース２０８から、ダウンリンク送信のためにスケジューリングされたＮｄｎ個のユーザ端末についてのトラフィックデータを受け、コントローラ２３０から制御データを受け、場合によっては、スケジューラ２３４から他のデータを受ける。様々なタイプのデータが、異なるトランスポートチャネルで送られ得る。ＴＸデータプロセッサ２１０は、各ユーザ端末についてのトラフィックデータを、そのユーザ端末のために選択されたレートに基づいて処理（例えば、符号化、インターリーブ、及び変調）する。ＴＸデータプロセッサ２１０は、Ｎａｐ個のアンテナのうちの１つから送信されるべきダウンリンクデータシンボルストリームを、より多くのＮｄｎ個のユーザ端末のうちの１つに提供し得る。トランシーバフロントエンド２２２は、シンボルストリームを受け、処理（例えば、アナログ変換、増幅、フィルタ掛け、及び周波数アップコンバート）して、ダウンリンク信号を生成する。トランシーバフロントエンド２２２はまた、例えば、送信ダイバーシティのために、ＲＦスイッチを介して、Ｎａｐ個のアンテナ２２４のうちの１つ又は複数にダウンリンク信号をルーティングし得る。コントローラ２３０は、トランシーバフロントエンド２２２内でこのルーティングを制御し得る。メモリ２３２は、アクセスポイント１１０のためにデータ及びプログラムコードを記憶し得、コントローラ２３０とインターフェースし得る。
【００３９】
[0047]各ユーザ端末１２０において、Ｎｕｔ，ｍ個のアンテナ２５２が、アクセスポイント１１０から、Ｎａｐ個のダウンリンク信号を受信する。ユーザ端末１２０における受信ダイバーシティのために、トランシーバフロントエンド２５４は、処理するための、アンテナ２５２のうちの１つから受ける信号を選択し得る。本開示の特定の態様について、複数のアンテナ２５２から受ける信号の組み合わせは、強化受信ダイバーシティのために組み合わせられ得る。ユーザ端末のトランシーバフロントエンド２５４はまた、アクセスポイントのトランシーバフロントエンド２２２によって実行される処理に相補的な処理を実行し、復元されたダウンリンクデータシンボルストリームを提供する。ＲＸデータプロセッサ２７０が、復元されたダウンリンクデータシンボルストリームを処理（例えば、復調、デインターリーブ、及び復号）して、そのユーザ端末のための復号されたデータを取得する。
【００４０】
[0048]当業者は、本明細書で説明される技法が一般に、ＴＤＭＡ、ＳＤＭＡ、直交周波数分割多元接続（ＯＦＤＭＡ）、ＣＤＭＡ、ＳＣ−ＦＤＭＡ、ＴＤ−ＳＣＤＭＡ、及びそれらの組み合わせといった多元接続スキームのうちの何れかのタイプを利用するシステムにおいて適用され得ることを認識するだろう。
【００４１】
[0049]図３は、本開示の特定の態様に係る、図２のトランシーバフロントエンド２２２，２５４のような例となるトランシーバフロントエンド３００のブロック図である。トランシーバフロントエンド３００は、１つ又は複数のアンテナを介して信号を送信するための送信（ＴＸ）経路３０２（送信チェーンとしても知られている）、及びアンテナを介して信号を受信するための受信（ＲＸ）経路３０４（受信チェーンとしても知られている）を含む。ＴＸ経路３０２及びＲＸ経路３０４がアンテナ３０３を共有する場合、これら経路は、デュプレクサ、スイッチ、ダイプレクサ、等の任意の様々な適切なＲＦデバイスを含み得るインターフェース３０６を介してアンテナと接続され得る。
【００４２】
[0050]デジタル／アナログ変換器（ＤＡＣ）３０８から同相（Ｉ）又は直交（Ｑ）ベースバンドアナログ信号を受けるため、ＴＸ経路３０２は、ベースバンドフィルタ（ＢＢＦ）３１０、ミキサ３１２、ドライバ増幅器（ＤＡ）３１４、及び電力増幅器３１６を含み得る。ＢＢＦ３１０、ミキサ３１２、及びＤＡ３１４は、無線周波数集積回路（ＲＦＩＣ）に含まれ得、ＰＡ３１６は、多くの場合、ＲＦＩＣの外側にある。ＢＢＦ３１０は、ＤＡＣ３０８から受けたベースバンド信号をフィルタに掛け、ミキサ３１２は、フィルタに掛けられたベースバンド信号を送信局部発振器（ＬＯ）信号と混合して、対象のベースバンドを異なる周波数に変換する（例えば、ベースバンドからＲＦにアップコンバートする）。この周波数変換プロセスは、ＬＯ周波数と関心信号の周波数との和周波数及び差周波数を生成する。和周波数及び差周波数は、ビート周波数と呼ばれる。ビート周波数は典型的にＲＦ範囲内にあり、それによって、ミキサ３１２によって出力される信号は典型的に、ＲＦ信号であり、これは、アンテナ３０３による送信の前に、ＤＡ３１４によって及びＰＡ３１６によって増幅される。
【００４３】
[0051]ＲＸ経路３０４は、低ノイズ増幅器（ＬＮＡ）３２２、ミキサ３２４、及びベースバンドフィルタ（ＢＢＦ）３２６を含む。ＬＮＡ３２２、ミキサ３２４、及びＢＢＦ３２６は、ＴＸ経路構成要素を含む無線周波数集積回路（ＲＦＩＣ）と同一である場合もそうでない場合もあるＲＦＩＣ内に含まれ得る。アンテナ３０３を介して受信されるＲＦ信号は、ＬＮＡ３２２によって増幅され得、ミキサ３２４は、この増幅されたＲＦ信号を、受信局部発振器（ＬＯ）信号と混合して、対象のＲＦ信号を異なるベースバンド周波数に変換（即ち、ダウンコンバート）する。ミキサ３２４によって出力されたベースバンド信号は、アナログ／デジタル変換器（ＡＤＣ）３２８によって、デジタル信号処理のためのデジタルＩ又はＱ信号に変換される前にＢＢＦ３２６によってフィルタに掛けられ得る。
【００４４】
[0052]周波数が安定した状態を維持することがＬＯの出力にとって望ましいが、異なる周波数に同調することは、可変周波数発振器を使用することを示し、これは、安定性と同調性（tunability）との間の折衷（compromise）を伴う。現代のシステムは、特定の同調範囲で、安定した同調可能なＬＯを生成するために、電圧制御型発振器（ＶＣＯ）を有する周波数シンセサイザを用いる。故に、送信ＬＯは典型的に、ＴＸ周波数シンセサイザ３１８によって生成され、これは、ミキサ３１２においてベースバンド信号と混合される前に増幅器３２０によってバッファ又は増幅され得る。同様に、受信ＬＯは典型的に、ＲＸ周波数シンセサイザ３３０によって生成され、これは、ミキサ３２４においてＲＦ信号と混合される前に増幅器３３２によってバッファ又は増幅され得る。
【００４５】
複数のシンセサイザを有する例となる多方向ダイバーシティ受信機
[0053]ワイヤレス通信では、ダイバーシティは、異なる特性を有する２つ以上のチャネルを使用することで送信の信頼性を増加させるために使用され得る。個々のチャネルが異なるレベルのフェーディング及び干渉を経験するため、フェーディング及び干渉に対処するために、同一の信号の複数のバージョンが、受信ダイバーシティにおいて異なる伝播経路を介して受信され得る。例えば、２方向ダイバーシティ（多方向ダイバーシティの対語として、別名、通常ダイバーシティとも呼ばれる）受信機は、１つが「一次経路」と呼ばれ、もう１つが「ダイバーシティ経路」と呼ばれる２つの異なる受信経路に関連付けられた２つのアンテナを使用し得る。受信センシティビティを強化し、無線周波数フロントエンド（ＲＦＦＥ）におけるマルチ経路フェーディングのインパクトを更に低減するために、多くの場合、４方向ダイバーシティ受信機（４−ＲｘＤ）が望まれる。しかしながら、優れた性能（例えば、低位相ノイズ）及び低電力消費の４方向ダイバーシティ受信機を実装することは困難である。
【００４６】
[0054]従来の２方向ダイバーシティ受信機は、一次受信経路とダイバーシティ受信経路との間の局部発振器（ＬＯ）経路を共有することで実装され得る。同様に、４方向ダイバーシティ受信機は、周波数シンセサイザ及び対応するＬＯ経路（これは、増幅器又はバッファ及び／又は分周器を含み得る）からなる単一のセットを用いて４つの受信経路（例えば、ＲＸ経路３０４）を駆動することで構成され得る。しかしながら、ＬＯ経路出力におけるミキサの負荷により、性能及び電流消費は通常不十分である。
【００４７】
[0055]図４は、本開示の特定の態様に係る、例となる４方向ダイバーシティ受信機４００を例示する。受信機４００では、１セットの周波数シンセサイザ４０２及び対応するＬＯ経路４０４が、４つ以上の受信経路を駆動するために使用される。特定の態様について、各受信経路は、図４に例示されるように、低ノイズ増幅器（ＬＮＡ）４０６、シングルエンドから差動への変換のためのバラン４０８、ミキサ４１０、ベースバンドフィルタ（ＢＢＦ）４１２、及びアナログ／デジタル変換器（ＡＤＣ）４１４を含み得る。他の態様について、各受信経路は、差動ＬＮＡ、ミキサ、ＢＢＦ、及びＡＤＣ（即ち、変換用のバラン以外）を含み得る。各受信経路は、それ自体のアンテナ４０５に関連付けられ得る。周波数シンセサイザ４０２は、電圧制御型発振器（ＶＣＯ）４１６及び位相ロックドループ（ＰＬＬ）４１８を含み得、ＶＣＯ４１６からの発振信号を増幅、バッファ、又は減衰するように構成された増幅器４２０が続く。増幅器４２０によって出力される発振信号の周波数は、プログラマブル分周器４２２によって分割され、ＬＯ経路４０４上に局部発振周波数（ｆＬＯ）を有するＬＯ信号が生成され得る。特定の態様について、ＬＯ経路４０４は、同相（Ｉ）成分及び直交（Ｑ）成分の両方を有し得る。
【００４８】
[0056]単一の周波数シンセサイザ４０２及びＬＯ経路４０４を共有することで、ＬＯ経路４０４の電流消費は、ミキサ負荷により、通常高い。更に、位相ノイズ性能は、制限された振幅（swing）により、不十分である。二重周波数での実用化にほど遠い（far-out）位相ノイズ及び大きな信号のノイズ指数のような設計規格に準拠するのは困難である。電流消費は、位相ノイズ及びノイズ指数規格を満たすために更に増やされ得る。
【００４９】
[0057]従って、必要とされているのは、高められた性能と低減された電流消費を有する多方向ダイバーシティ受信機である。
【００５０】
[0058]本開示の特定の態様は、多方向ダイバーシティ受信機を提供し、ここでは、ダイバーシティ受信機における多くても２つの受信経路が、周波数シンセサイザ及び対応するＬＯ経路を共有する。このような多方向ダイバーシティ受信機は、キャリアアグリゲーション（ＣＡ）トランシーバにおいて実装され得る。
【００５１】
[0059]帯域幅を増加させ、それによってビットレートを増加させるために、キャリアアグリゲーションが、ＬＴＥ−Ａのような幾つかの無線アクセス技術（ＲＡＴ）において使用される。キャリアアグリゲーションでは、複数の周波数リソース（即ち、キャリア）が、データを送るために割り当てられる。アグリゲートされたキャリアの各々は、コンポーネントキャリア（ＣＣ）と呼ばれる。ＬＴＥリリース１０では、例えば、最大で５つのコンポーネントキャリアが集合され得、結果として、１００ＭＨｚという最大の集合帯域幅に至る。リソースの割振りは、連続的又は非連続的であり得る。非連続的な割振りは、帯域内（即ち、コンポーネントキャリアは、同一の動作周波数帯域に属するが、それらの間には１つ又は複数のギャップがある）であるか、又は帯域間、このケースでは、コンポーネントキャリアは、異なる動作周波数帯域に属する、であり得る。無線周波数フロントエンド（ＲＦＦＥ）においてＣＡを実装するために、様々なＣＡトランシーバが開発されている。
【００５２】
[0060]４つの周波数シンセサイザが（例えば、４つのＣＡダイバーシティ受信機（即ち、４ｘ Ｐ＋Ｄ受信機）のために４つの異なるＬＯ周波数を生成するために）利用可能な任意の４ＣＡトランシーバでは、４方向ダイバーシティ受信機（４ＲｘＤ）は、同一のＬＯ周波数を生成する、２セットのシンセサイザ及び対応するＬＯ経路を使用して４つの受信経路を駆動することで構成され得る。例えば、図５は、本開示の特定の態様に係る、対象の４つの受信経路が２つの周波数合成回路（シンセサイザ４０２０，４０２１）によって駆動される、４ＣＡトランシーバにおいて実装される例となる４方向ダイバーシティ受信機５００を例示する。第１の周波数合成回路（「ＣＡ０ Ｓｙｎｔｈ」とラベル付されている）によって生成される第１のＬＯ周波数（ｆＬＯ０）は、第２の周波数合成回路（「ＣＡ１ Ｓｙｎｔｈ」とラベル付されている）によって生成される第２のＬＯ周波数（ｆＬＯ１）と同一である。特定の態様については、シンセサイザ４０２０，４０２１内の２つのＶＣＯ４１６は、同一の周波数を有する発振信号を出力し得るが、他の態様については、２つのＶＣＯ４１６は、異なる周波数を有する２つの発振信号を出力し得る。後者のケースでは、異なる周波数除数で設計された分周器４２２が、ｆＬＯ０＝ｆＬＯ１となるように、ＶＣＯ４１６に結合され得る。
【００５３】
[0061]４方向のダイバーシティ受信機５００は、図４の４方向ダイバーシティ受信機４００と比べて高められた性能を有する。例えば、ＬＯ信号振幅及び位相ノイズは、ＬＯ負荷が２つの周波数シンセサイザ４０２０，４０２１間で分散されるため、受信機５００ではより優れている。
【００５４】
[0062]４方向ダイバーシティ受信機が図５において実装されているため、４ＣＡトランシーバの一部（例えば、半分）は、特定の態様では、示されるようにディセーブルにされ得る。図５の受信機５００では、第１の４つの受信経路及び第１の２つのＣＡ合成回路（ＣＡ０及びＣＡ１）がイネーブルにされているが、任意の適切なＣＡ合成回路及び受信経路が、示されるものの代わりにイネーブルにされ得る。
【００５５】
[0063]任意の４ＣＡトランシーバでは、３方向ダイバーシティ受信機（３−ＲｘＤ）は、代わりに、同一のＬＯ周波数を生成する、２セットのシンセサイザ（例えば、シンセサイザ４０２０，４０２１）及び対応するＬＯ経路４０４０，４０４１をイネーブルにして３つの受信経路６０２，６０４，６０６を駆動することで構成され得る。図６は、本開示の特定の態様に係る、図５のＣＡトランシーバにおいて実装される例となる３方向ダイバーシティ受信機６００を例示する。
【００５６】
[0064]図６の受信機６００では第１の３つの受信経路及び第１の２つのＣＡ合成回路（ＣＡ０ Ｓｙｎｔｈ及びＣＡ１ Ｓｙｎｔｈ）はイネーブルにされているが、任意の２つの適切なＣＡ合成回路及び３つの受信経路が、３−ＲＸＤを実装するために、示されるものの代わりにイネーブルにされ得る。更に、ＣＡ１ Ｓｙｎｔｈに関連付けられたダイバーシティ経路６０８が、図６に描写されるようにディセーブルにされ得るが、ＣＡ１ Ｓｙｎｔｈに関連付けられた一次経路６０６が、代わりにディセーブルにされ得る。同様に、両方ともＣＡ０ Ｓｙｎｔｈに関連付けられている一次経路６０２又はダイバーシティ経路６０４は、ＣＡ１ Ｓｙｎｔｈに関連付けられたダイバーシティ経路６０８の代わりにディセーブルにされ得る。
【００５７】
[0065]ＣＡトランシーバでは、２キャリア４方向ダイバーシティ受信機は、２つの異なるＬＯ周波数を生成する、４セットのシンセサイザ及び対応するＬＯ経路をイネーブルにして８つの受信経路を駆動することで構成され得る。図７Ａは、本開示の特定の態様に係る、図５のＣＡトランシーバにおいて実装される例となる２キャリア４方向ダイバーシティ受信機７００を例示する。第１の周波数合成回路（ＣＡ０ Ｓｙｎｔｈ）によって生成される第１のＬＯ周波数（ｆＬＯ０）は、第２の周波数合成回路（ＣＡ１ Ｓｙｎｔｈ）によって生成される第２のＬＯ周波数（ｆＬＯ１）と同一である。そして、第３の周波数合成回路（ＣＡ２ Ｓｙｎｔｈ）によって生成される第３のＬＯ周波数（ｆＬＯ２）は、第４の周波数合成回路（ＣＡ３ Ｓｙｎｔｈ）によって生成される第４のＬＯ周波数（ｆＬＯ３）と同一である。特定の態様について、第１の４つの受信経路６０２，６０４，６０６，６０８は、示されるように第１のキャリアに対して指定され得、一方で、第２の４つの受信経路７０２，７０４，７０６，７０８は、第１のキャリアとは異なる第２のキャリアに対して指定され得る。図７Ａの受信機７００では、第１の４つの受信経路６０２，６０４，６０６，６０８及び第１の２つのＣＡ合成回路（ＣＡ０ Ｓｙｎｔｈ及びＣＡ１ Ｓｙｎｔｈ）は第１のキャリアに対して使用されるが、任意の適切なＣＡ合成回路及び受信経路が、第１のキャリアに対して指定され得る。他の態様について、ＣＡトランシーバにおける８つの受信経路は、２キャリア４ＲｘＤというよりもむしろ、（全てが同一のＬＯ周波数を有する）８方向ダイバーシティ受信機（８ ＲｘＤ）を実装するために同様の構成において使用され得る。
【００５８】
[0066]２キャリア４方向ダイバーシティ受信機７００は、図４の４方向ダイバーシティ受信機４００と比べて高められた性能を有する。例えば、位相ノイズ及びノイズ指数の改善は、ＬＯ負荷が４つの周波数シンセサイザ４０２０−３の間で分散されているため、より一層顕著である。更に、電流消費の全体的な低減は顕著である。
【００５９】
[0067]ＣＡトランシーバでは、２キャリア３方向ダイバーシティ受信機（３ ＲｘＤ）は、２つの異なるＬＯ周波数を生成する、４セットのシンセサイザ及び対応するＬＯ経路をイネーブルにして６つの受信経路を駆動することで構成され得る。図７Ｂは、本開示の特定の態様に係る、図５のＣＡトランシーバにおいて実装される例となる２キャリア３方向ダイバーシティ受信機７５０を例示する。第１の周波数合成回路（ＣＡ０ Ｓｙｎｔｈ）によって生成される第１のＬＯ周波数（ｆＬＯ０）は、第２の周波数合成回路（ＣＡ１ Ｓｙｎｔｈ）によって生成される第２のＬＯ周波数（ｆＬＯ１）と同一である。そして、第３の周波数合成回路（ＣＡ２ Ｓｙｎｔｈ）によって生成される第３のＬＯ周波数（ｆＬＯ２）は、第４の周波数合成回路（ＣＡ３ Ｓｙｎｔｈ）によって生成される第４のＬＯ周波数（ｆＬＯ３）と同一である。第３及び第４のＬＯ周波数は、第１及び第２のＬＯ周波数とは異なる（ｆＬＯ３＝ｆＬＯ２≠ｆＬＯ０＝ｆＬＯ１）。特定の態様について、３つの受信経路６０２，６０４，６０６は、示されるように第１のキャリアに対して指定され得、一方で、３つの他の受信経路７０２，７０４，７０６は、第１のキャリアとは異なる第２のキャリアに対して指定され得る。他の態様について、ＣＡトランシーバにおける６つの受信経路は、２キャリア３ ＲｘＤというよりもむしろ、（全てが同一のＬＯ周波数を有する）６方向ダイバーシティ受信機（６ ＲｘＤ）を実装するために同様の構成において使用され得る。
【００６０】
[0068]図７Ｂの受信機７５０では、第１の３つの受信経路６０２，６０４，６０６及び第１の２つのＣＡ合成回路（ＣＡ０ Ｓｙｎｔｈ及びＣＡ１ Ｓｙｎｔｈ）が第１のキャリアに対して使用されるが、任意の適切なＣＡ合成回路及び受信経路が、第１のキャリアに対して指定され得る。１つの例となる代替例として、３つの受信経路６０６，６０８，７０２が第１のキャリアに対して指定され得、一方で、３つの他の受信経路６０４，７０６，７０８が第２のキャリアに対して指定され得る。この代替的なケースでは、第２の周波数合成回路（ＣＡ１ Ｓｙｎｔｈ）によって生成される第２のＬＯ周波数（ｆＬＯ１）は、第３の周波数合成回路（ＣＡ２ Ｓｙｎｔｈ）によって生成される第３のＬＯ周波数（ｆＬＯ２）と同一であり、一方で、第１の周波数合成回路（ＣＡ０ Ｓｙｎｔｈ）によって生成される第１のＬＯ周波数（ｆＬＯ０）は、第４の周波数合成回路（ＣＡ３ Ｓｙｎｔｈ）によって生成される第４のＬＯ周波数（ｆＬＯ３）と同一である。この例では、第１及び第４のＬＯ周波数は、第２及び第３のＬＯ周波数とは異なる（ｆＬＯ０＝ｆＬＯ３≠ｆＬＯ１＝ｆＬＯ２）。
【００６１】
[0069]図８は、複数の周波数合成回路を有する多方向ダイバーシティ受信機を使用するための例となる動作８００のフロー図である。動作８００は、例えば、４方向ダイバーシティ受信機４００のような、上述された多方向ダイバーシティ受信機又はＣＡトランシーバによって実行され得る。
【００６２】
[0070]動作８００は、ブロック８０２において、ダイバーシティ受信機が、３つ以上の受信経路を介して信号を受信及び処理することから開始し得る。ブロック８０４において、ダイバーシティ受信機は、受信された信号をダウンコンバートするために局部発振信号を、２つ以上の周波数合成回路から生成し得る。周波数合成回路の各々は、受信経路のうちの多くても２つによって共有され得る。周波数合成回路の各対は、同一の周波数を有する一対の局部発振信号を生成し得る。
【００６３】
[0071]特定の態様によれば、３つ以上の受信経路は、８つの受信経路を含み、２つ以上の周波数合成回路は、４つの周波数合成回路を含む。このケースでは、ブロック８０４における生成することは、４つの周波数合成回路のうちの第１の対を用いて、同一の第１の周波数を有する第１の２つの局部発振信号を生成することを伴い得る。ブロック８０４における生成することはまた、４つの周波数合成回路のうちの第２の対を用いて、同一の第２の周波数を有する第２の２つの局部発振信号を生成することを伴い得る。
【００６４】
[0072]図９は、複数の周波数合成回路を有する多方向ダイバーシティ受信機を用いるための例となる動作９００のフロー図である。動作９００は、例えば、４方向ダイバーシティ受信機４００のような、上述された多方向ダイバーシティ受信機又はＣＡトランシーバによって実行され得る。
【００６５】
[0073]動作９００は、ブロック９０２において、ダイバーシティ受信機が、第１の受信経路を介して第１の信号を受信及び処理することから開始し得る。ブロック９０４及びブロック９０６において、ダイバーシティ受信機は、それぞれ、第２の受信経路を介して第２の信号を受信及び処理し、第３の受信経路を介して第３の信号を受信及び処理し得る。ダイバーシティ受信機は、ブロック９０８において、第１の周波数を有する第１の局部発振信号を生成し得る。ブロック９１０及びブロック９１２において、ダイバーシティ受信機は、それぞれ、第１の受信経路において第１の混合回路を介して、第１の局部発振信号を、処理された第１の信号と混合し、第２の受信経路において第２の混合回路を介して、第１の局部発振信号を、処理された第２の信号と混合し得る。ダイバーシティ受信機は、ブロック９１４において、第１の周波数に等しい第２の周波数を有する第２の局部発振信号を生成し得る。ブロック９１６において、ダイバーシティ受信機は、第３の受信経路において第３の混合回路を介して、第２の局部発振信号を、処理された第３の信号と混合し得る。
【００６６】
[0074]特定の態様によれば、動作９００は、ダイバーシティ受信機が、第４の受信経路を介して第４の信号を受信及び処理することを更に伴い得る。このケースでは、ダイバーシティ受信機は、第４の受信経路において第４の混合回路を介して、第２の局部発振信号を、処理された第４の信号と混合し得る。特定の態様について、動作９００は、ダイバーシティ受信機が、第５の受信経路を介して第５の信号を受信及び処理することと、第６の受信経路を介して第６の信号を受信及び処理することとを更に伴い得る。このケースでは、ダイバーシティ受信機は、第３の周波数を有する第３の局部発振信号を生成し、第５の受信経路において第５の混合回路を介して、第３の局部発振信号を、処理された第５の信号と混合し、第６の受信経路において第６の混合回路を介して、第３の局部発振信号を、処理された第６の信号と混合し得る。特定の態様について、動作９００は、ダイバーシティ受信機が、第７の受信経路を介して第７の信号を受信及び処理することと、第８の受信経路を介して第８の信号を受信及び処理することとを更に含み得る。このケースでは、ダイバーシティ受信機は、第４の周波数を有する第４の局部発振信号を生成し、第７の受信経路において第７の混合回路を介して、第４の局部発振信号を、処理された第７の信号と混合し、第８の受信経路において第８の混合回路を介して、第４の局部発振信号を、処理された第８の信号と混合し得る。
【００６７】
[0075]前述された様々な動作又は方法は、対応する機能を実行することができる任意の適切な手段によって実行され得る。これらの手段は、回路、特定用途向け集積回路（ＡＳＩＣ）、又はプロセッサを含むがこれらに限定されない、様々なハードウェア及び／又はソフトウェア構成要素及び／又はモジュールを含み得る。一般に、動作が図中に例示されている場合、それらの動作は、同様の参照番号を付した、対応する対照のミーンズプラスファンクション構成要素を有し得る。
【００６８】
[0076]例えば、送信するための手段は、送信機（例えば、図２に描写されるユーザ端末１２０のトランシーバフロントエンド２５４又は図２に示されるアクセスポイント１１０のトランシーバフロントエンド２２２）及び／又はアンテナ（例えば、図２に描かれるユーザ端末１２０ｍのアンテナ２５２ｍａ〜２５２ｍｕ又は図２に例示されるアクセスポイント１１０のアンテナ２２４ａ〜２２４ａｐ）を備え得る。受信するための手段は、受信機（例えば、図２に描写されるユーザ端末１２０のトランシーバフロントエンド２５４又は図２に示されるアクセスポイント１１０のトランシーバフロントエンド２２２）及び／又はアンテナ（例えば、図２に描かれるユーザ端末１２０ｍのアンテナ２５２ｍａ〜２５２ｍｕ又は図２に例示されるアクセスポイント１１０のアンテナ２２４ａ〜２２４ａｐ）を備え得る。処理するための手段又は決定するための手段は、処理システムを備え得、これは、図２に例示されるユーザ端末１２０のＲＸデータプロセッサ２７０、ＴＸデータプロセッサ２８８、及び／又はコントローラ２８０のような１つ又は複数のプロセッサを含み得る。
【００６９】
[0077]本明細書で使用される場合、「決定すること」という用語は、幅広い動作（action）を包含する。例えば、「決定すること」は、算出すること、計算すること、処理すること、導出すること、調査すること、ルックアップすること（例えば、表、データベース、又は別のデータ構造をルックアップすること）、確定すること、等を含み得る。また、「決定すること」は、受信すること（例えば、情報を受信すること）、アクセスすること（例えば、メモリ内のデータにアクセスすること）、等を含み得る。また、「決定すること」は、解決すること、選択すること、選ぶこと、確立すること、等を含み得る。
【００７０】
[0078]本明細書で使用される場合、複数の項目からなるリスト「のうちの少なくとも１つ」に関する表現は、単一のメンバを含む、それらの項目の任意の組み合わせを指す。例として、「ａ，ｂ，又はｃのうちの少なくとも１つ」は、ａ，ｂ，ｃ，ａ−ｂ，ａ−ｃ，ｂ−ｃ，及びａ−ｂ−ｃだけでなく、同じ要素の倍数を伴った任意の組み合わせ（例えば、ａ−ａ，ａ−ａ−ａ，ａ−ａ−ｂ，ａ−ａ−ｃ，ａ−ｂ−ｂ，ａ−ｃ−ｃ，ｂ−ｂ，ｂ−ｂ−ｂ，ｂ−ｂ−ｃ，ｃ−ｃ，及びｃ−ｃ−ｃ，又はａ，ｂ，ｃの任意の他の順序）をカバーすることを想定している。
【００７１】
[0079]本開示に関連して説明された実例となる様々な論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理デバイス（ＰＬＤ）、ディスクリートゲート又はトランジスタ論理、ディスクリートハードウェア構成要素、或いは本明細書で説明された機能を実行するよう設計されたそれらの任意の組み合わせで実装又は実行され得る。汎用プロセッサは、マイクロプロセッサであり得るが、代替的に、プロセッサは、任意の市販のプロセッサ、コントローラ、マイクロコントローラ、又はステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つ又は複数のマイクロプロセッサ、或いは任意の他のそのような構成との組み合わせとして実装され得る。
【００７２】
[0080]本明細書で開示された方法は、説明された方法を達成するための１つ又は複数のステップ又は動作を備える。方法のステップ及び／又は動作は、特許請求の範囲から逸脱することなく互いに置き換えられ得る。換言すると、ステップ又は動作の特定の順序が明記されない限り、特定のステップ及び／又は動作の順序及び／又は使用は、特許請求の範囲から逸脱することなく修正され得る。
【００７３】
[0081]説明された機能は、ハードウェア、ソフトウェア、ファームウェア、又はこれらの任意の組み合わせで実装され得る。ハードウェアで実装される場合、例となるハードウェア構成は、ワイヤレスノードにおける処理システムを備え得る。処理システムは、バスアーキテクチャで実装され得る。バスは、処理システムの特定の用途と設計制約全体に依存して、任意の数の相互接続バス及びブリッジを含み得る。バスは、プロセッサ、機械可読媒体、及びバスインターフェースを含む様々な回路をリンクさせ得る。バスインターフェースは、バスを介して、とりわけ、処理システムにネットワークアダプタを接続するために使用され得る。ネットワークアダプタは、ＰＨＹ層の信号処理機能を実装するために使用され得る。ユーザ端末１２０（図１を参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、及び同様なもののような様々な他の回路をリンクさせ得るが、これらは当技術分野において周知であるため、これ以上は説明されないだろう。
【００７４】
[0082]処理システムは、プロセッサ機能性を提供する１つ又は複数のマイクロプロセッサと、機械可読媒体の少なくとも一部を提供する外部メモリとを有し、それら全てが外部バスアーキテクチャを通して他のサポート回路とリンクされている、汎用処理システムとして構成され得る。代替的に、処理システムは、単一のチップに組み込まれた機械可読媒体の少なくとも一部と、プロセッサと、バスインターフェースと、（アクセス端末のケースでは）ユーザインターフェースと、サポート回路とを有するＡＳＩＣ（特定用途向け集積回路）で、或いは、１つ又は複数のＦＰＧＡ（フィールドプログラマブルゲートアレイ）、ＰＬＤ（プログラマブル論理デバイス）、コントローラ、ステートマシン、ゲート論理、ディスクリートハードウェア構成要素、又は任意の他の適切な回路、或いは本開示全体を通して説明された様々な機能性を実行することができる回路の任意の組み合わせで実装され得る。当業者は、特定の用途及びシステム全体に課された設計制約全体に依存して、処理システムについて説明された機能性をどのように実装することが最善かを認識するだろう。
【００７５】
[0083]特許請求の範囲は、上に例示されたままの構成及び構成要素に限定されないことが理解されるべきである。様々な修正、変更、及び変形は、特許請求の範囲から逸脱することなく、上述した方法及び装置の配置、動作及び詳細に対して行われ得る。
以下に本願の出願当初の特許請求の範囲に記載された発明を付記する。
［Ｃ１］
ワイヤレス受信ダイバーシティ回路であって、
受信された信号を処理するための３つ以上の受信経路と、
前記受信された信号をダウンコンバートするために局部発振信号を生成するように構成された２つ以上の周波数合成回路と、
を備え、前記周波数合成回路の各々は、前記受信経路のうちの多くても２つによって共有され、前記周波数合成回路の各対は、同一の周波数を有する一対の前記局部発振信号を生成する、
ダイバーシティ回路。
［Ｃ２］
単一の受信経路は、任意の他の受信経路と接続されていない、前記周波数合成回路のうちの１つと接続される、Ｃ１に記載のダイバーシティ回路。
［Ｃ３］
前記受信経路の各々は、それ自体のアンテナに関連付けられる、Ｃ１に記載のダイバーシティ回路。
［Ｃ４］
異なる複数の対の前記周波数合成回路は、異なる周波数を有する複数の対の局部発振信号を生成する、Ｃ１に記載のダイバーシティ回路。
［Ｃ５］
前記３つ以上の受信経路は、８つの受信経路を備え、前記２つ以上の周波数合成回路は、４つの周波数合成回路を備える、Ｃ１に記載のダイバーシティ回路。
［Ｃ６］
前記４つの周波数合成回路のうちの第１の対は、同一の第１の周波数を有する第１の２つの局部発振信号を生成し、前記４つの周波数合成回路のうちの第２の対は、同一の第２の周波数を有する第２の２つの局部発振信号を生成する、Ｃ５に記載のダイバーシティ回路。
［Ｃ７］
前記８つの受信経路のうちの第１の数は、第１のキャリアに対して指定され、前記８つの受信経路のうちの第２の数は、前記第１のキャリアとは異なる第２のキャリアに対して指定される、Ｃ５に記載のダイバーシティ回路。
［Ｃ８］
前記８つの受信経路は、単一のキャリアに対して設計され、前記４つの周波数合成回路は、同一の周波数を有する４つの局部発振信号を生成する、Ｃ５に記載のダイバーシティ回路。
［Ｃ９］
前記８つの受信経路のうちの４つ及び前記４つの周波数合成回路のうちの２つがディセーブルにされる、Ｃ５に記載のダイバーシティ回路。
［Ｃ１０］
前記ワイヤレス受信ダイバーシティ回路は、キャリアアグリゲーション（ＣＡ）トランシーバの一部であり、前記周波数合成回路の各々は、特定のコンポーネントキャリアのためのＣＡ周波数合成回路である、Ｃ１に記載のダイバーシティ回路。
［Ｃ１１］
前記ＣＡトランシーバの一部はディセーブルにされる、Ｃ１０に記載のダイバーシティ回路。
［Ｃ１２］
各周波数合成回路は、電圧制御型発振器（ＶＣＯ）と、位相ロックドループ（ＰＬＬ）と、増幅器、バッファ、減衰器、又はプログラマブル分周器のうちの少なくとも１つとを備え、各受信経路は、受信された前記信号のうちの１つを増幅するように構成された低ノイズ増幅器（ＬＮＡ）と、増幅された前記信号を前記局部発振信号のうちの１つと混合するように構成された混合回路とを備える、Ｃ１に記載のダイバーシティ回路。
［Ｃ１３］
同一の周波数を有する前記局部発振信号の前記対は、２つの異なる周波数を出力する２つの電圧制御型発振器（ＶＣＯ）と、異なる除数を有する２つの分周器によって生成される、Ｃ１に記載のダイバーシティ回路。
［Ｃ１４］
ワイヤレス受信ダイバーシティ回路であって、
第１の受信経路と、
第２の受信経路と、
第３の受信経路と、
第１の周波数を有する第１の局部発振信号を生成するように構成された第１の周波数合成回路と、ここにおいて、前記第１の局部発振信号は、前記第１の受信経路において第１の混合回路と、前記第２の受信経路において第２の混合回路と接続される、
前記第１の周波数に等しい第２の周波数を有する第２の局部発振信号を生成するように構成された第２の周波数合成回路と、ここにおいて、前記第２の局部発振信号は、前記第３の受信経路において第３の混合回路と接続される、
を備えるダイバーシティ回路。
［Ｃ１５］
第４の受信経路を更に備え、前記第２の局部発振信号は、前記第４の受信経路において第４の混合回路と接続される、Ｃ１４に記載のダイバーシティ回路。
［Ｃ１６］
第５の受信経路と、
第６の受信経路と、
第３の周波数を有する第３の局部発振信号を生成するように構成された第３周波数合成回路と、ここにおいて、前記第３の局部発振信号は、前記第５の受信経路において第５の混合回路と、前記第６の受信経路において第６の混合回路と接続される、
を更に備える、Ｃ１５に記載のダイバーシティ回路。
［Ｃ１７］
第７の受信経路と、
第８の受信経路と、
前記第３の周波数に等しい第４の周波数を有する第４の局部発振信号を生成するように構成された第４周波数合成回路と、ここにおいて、前記第４の局部発振信号は、前記第７の受信経路において第７の混合回路と、前記第８の受信経路において第８の混合回路と接続される、
を更に備え、Ｃ１６に記載のダイバーシティ回路。
［Ｃ１８］
前記第３の周波数は、前記第１の周波数とは異なる、Ｃ１７に記載のダイバーシティ回路。
［Ｃ１９］
前記第１の受信経路、前記第２の受信経路、前記第３の受信経路、及び前記第４の受信経路は、第１のキャリアに対して指定され、前記第５の受信経路、前記第６の受信経路、前記第７の受信経路、及び前記第８の受信経路は、前記第１のキャリアとは異なる第２のキャリアに対して指定される、Ｃ１７に記載のダイバーシティ回路。
［Ｃ２０］
前記第１の受信経路、前記第２の受信経路、前記第３の受信経路、前記第４の受信経路、前記第５の受信経路、前記第６の受信経路、前記第７の受信経路、及び前記第８の受信経路は、単一のキャリアに対して設計され、前記第１の局部発振信号、前記第２の局部発振信号、前記第３の局部発振信号、及び前記第４の局部発振信号は、同一の周波数を有する、Ｃ１７に記載のダイバーシティ回路。
［Ｃ２１］
前記ワイヤレス受信ダイバーシティ回路は、キャリアアグリゲーション（ＣＡ）トランシーバの一部であり、前記第１の周波数合成回路及び前記第２の周波数合成回路の各々は、ＣＡ周波数合成回路である、Ｃ１４に記載のダイバーシティ回路。
［Ｃ２２］
前記ＣＡトランシーバの一部はディセーブルにされる、Ｃ２１に記載のダイバーシティ回路。
［Ｃ２３］
前記第１の周波数合成回路及び前記第２の周波数合成回路の各々は、電圧制御型発振器（ＶＣＯ）と、増幅器、バッファ、減衰器、又はプログラマブル分周器のうちの少なくとも１つとを備える、Ｃ１４に記載のダイバーシティ回路。
［Ｃ２４］
前記第１の周波数合成回路は、前記第１の局部発振信号を生成するように構成された第１の電圧制御型発振器（ＶＣＯ）を備え、前記第２の周波数合成回路は、前記第２の局部発振信号を生成するように構成された第２のＶＣＯを備え、前記第１のＶＣＯ及び前記第２のＶＣＯは、２つの異なる周波数を有する信号を同時に出力する、Ｃ１４に記載のダイバーシティ回路。
［Ｃ２５］
前記第１の受信経路、前記第２の受信経路、及び前記第３の受信経路の各々は、それ自体のアンテナに関連付けられる、Ｃ１４に記載のダイバーシティ回路。
［Ｃ２６］
ワイヤレス通信のための方法であって、
３つ以上の受信経路を介して信号を受信及び処理することと、
受信された前記信号をダウンコンバートするために、局部発振信号を、２つ以上の周波数合成回路から、生成することと、ここにおいて、前記周波数合成回路の各々は、前記受信経路のうちの多くても２つによって共有され、前記周波数合成回路の各対は、同一の周波数を有する一対の前記局部発振信号を生成する、
を備える方法。
［Ｃ２７］
前記３つ以上の受信経路は、８つの受信経路を備え、前記２つ以上の周波数合成回路は、４つの周波数合成回路を備え、前記生成することは、
前記４つの周波数合成回路のうちの第１の対を用いて、同一の第１の周波数を有する第１の２つの局部発振信号を生成することと、
前記４つの周波数合成回路のうちの第２の対を用いて、同一の第２の周波数を有する第２の２つの局部発振信号を生成することと
を備える、Ｃ２６に記載の方法。
［Ｃ２８］
ワイヤレス通信のための方法であって、
第１の受信経路を介して第１の信号を受信及び処理することと、
第２の受信経路を介して第２の信号を受信及び処理することと、
第３の受信経路を介して第３の信号を受信及び処理することと、
第１の周波数を有する第１の局部発振信号を生成することと、
前記第１の受信経路において第１の混合回路を介して、前記第１の局部発振信号を、処理された前記第１の信号と混合することと、
前記第２の受信経路において第２の混合回路を介して、前記第１の局部発振信号を、処理された前記第２の信号と混合することと、
前記第１の周波数に等しい第２の周波数を有する第２の局部発振信号を生成することと、
前記第３の受信経路において第３の混合回路を介して、前記第２の局部発振信号を、処理された前記第３の信号と混合することと
を備える方法。
［Ｃ２９］
第４の受信経路を介して第４の信号を受信及び処理することと、
前記第４の受信経路において第４の混合回路を介して、前記第２の局部発振信号を、処理された前記第４の信号と混合することと
を更に備える、Ｃ２８に記載の方法。
［Ｃ３０］
第５の受信経路を介して第５の信号を受信及び処理することと、
第６の受信経路を介して第６の信号を受信及び処理することと、
第３の周波数を有する第３の局部発振信号を生成することと、
前記第５の受信経路において第５の混合回路を介して、前記第３の局部発振信号を、処理された前記第５の信号と混合することと、
前記第６の受信経路において第６の混合回路を介して、前記第３の局部発振信号を、処理された前記第６の信号と混合することと、
第７の受信経路を介して第７の信号を受信及び処理することと、
第８の受信経路を介して第８の信号を受信及び処理することと、
第４の周波数を有する第４の局部発振信号を生成することと、
前記第７の受信経路において第７の混合回路を介して、前記第４の局部発振信号を、処理された前記第７の信号と混合することと、
前記第８の受信経路において第８の混合回路を介して、前記第４の局部発振信号を、処理された前記第８の信号と混合することと
を更に備える、Ｃ２９に記載の方法。
【図１】
0006585083.tif 000002
【図２】
0006585083.tif 000003
【図３】
0006585083.tif 000004
【図４】
0006585083.tif 000005
【図５】
0006585083.tif 000006
【図６】
0006585083.tif 000007
【図７Ａ】
0006585083.tif 000008
【図７Ｂ】
0006585083.tif 000009
【図８】
0006585083.tif 000010
【図９】
0006585083.tif 000011